(57)【要約】【課題】コンテンツの管理レベルにより端末の操作を制限できるコンテンツ配信システムを提供する。【解決手段】コンテンツ配信システムが記載され、そこでは、著作権管理のレベルを規定する証印５１が、ネットワークを介する配信のためにデータグラム３３に関連して、コンテンツ３１とともにカプセル化される。証印５１によって規定された著作権管理のレベルに応じて、コンテンツ３１を受信する端末の操作、すなわちコンテンツの保存、読出し、転送を含む、コンテンツに関して実行可能な操作が、制限される。【選択図】図３
2008135021.tif 000002
【特許請求の範囲】
【請求項１】
接続された少なくとも一つの端末を有するネットワークと、コンテンツの所定管理レベルを表わす証印を割り当てるコンテンツ作成ツールとを備え、前記コンテンツは後に前記ネットワークで利用可能であり、前記少なくとも一つの端末は、前記証印に応答して、前記ネットワークから受信した前記コンテンツについて操作を許可するコンテンツ配信管理システム。
【請求項２】
前記ツールに前記ネットワークへのアクセスを与える通信リンクを有する請求項１に記載の配信管理システム。
【請求項３】
前記証印を有するコンテンツが、データグラムのペイロード部に配置されている請求項１又は２に記載の配信管理システム。
【請求項４】
前記証印は暗号化されている請求項１〜３のいずれか１項に記載の配信管理システム。
【請求項５】
前記端末は、ユーザインタフェースを備え、該ユーザインタフェースは、前記コンテンツについて前記端末ユーザに操作許可を与える前記証印に従って操作可能であり、前記操作は、前記ネットワークからコンテンツが受信される揮発性記憶装置から、ユーザアクセス可能な記憶装置への転送を含む請求項１〜４のいずれか１項に記載の配信管理システム。
【請求項６】
コンテンツを受信可能な第１記憶装置と、第２記憶装置と、前記両記憶装置に関連して操作可能なユーザインタフェースとを有し、前記第１記憶装置に受信された前記コンテンツについてユーザインタフェースの操作セットが、前記コンテンツを参照することによって許可され、前記コンテンツによって許可された前記操作の少なくとも一つは、前記第２メモリへの前記コンテンツの転送であり、第２記憶装置に受信された場合、同じコンテンツについて前記ユーザインタフェースの操作セットが、前記コンテンツを参照して同様に許可される端末。
【請求項７】
前記ユーザインタフェースは、前記許可される操作セットを決定する前記コンテンツに関連する証印を識別するように操作可能である請求項６に記載の端末。
【請求項８】
第１記憶装置が、前記コンテンツの一時的記憶装置を提供する請求項６又は請求項７に記載の端末。
【請求項９】
コンテンツ管理の各レベルを表わす証印を定義するステップと、前記コンテンツにふさわしい管理レベルを決定するステップと、前記決定に従って前記コンテンツに証印を割り当てるステップとを有する管理された配信のためのコンテンツ作成方法。
【請求項１０】
前記管理により、前記コンテンツの閲覧と、記憶と、削除と、転送とのうちの、少なくとも一つの操作が許可される請求項９に記載のコンテンツ作成方法。
【請求項１１】
前記証印を含むコンテンツは、データグラムのペイロード部に配置される請求項９又は１０に記載のコンテンツ作成方法。
【請求項１２】
コンテンツを第１記憶装置に受信するステップと、前記証印から前記コンテンツについて許可された操作のリストを生成するステップと、ユーザに前記リストを表示するステップとを有する、前記コンテンツについて許可された操作を表わす証印を含むコンテンツ受信方法。
【請求項１３】
前記コンテンツの第２記憶装置への転送は、前記許可された操作のリストに含まれる請求項１２に記載のコンテンツ受信方法。
【請求項１４】
前記第１及び第２の記憶装置は、各々揮発性及び不揮発性である請求項１３に記載のコンテンツ受信方法。
【請求項１５】
コンピュータにロードされたときに実行可能な実行可能コードを含み、前記コンピュータは、前記コードに従って動作し、請求項９〜１１のいずれか１項に記載のコンテンツ受信方法を実行するコンピュータプログラム。
【請求項１６】
コンピュータにロードされたときに実行可能な実行可能コードを含み、前記コンピュータは、前記コードに従って動作し、請求項１２〜１４のいずれか１項に記載のコンテンツ受信方法を実行するコンピュータプログラム。
【請求項１７】
コンピュータ読取り可能媒体に記憶された請求項１５又は１６に記載されたコンピュータプログラム。
【請求項１８】
インタフェースが、端末により受信されたコンテンツに関連する証印に従って操作可能である端末用ユーザインタフェースであって、前記証印が、コンテンツ管理の所定レベルを表わし、前記コンテンツについて前記端末ユーザに利用可能な操作を許可し、前記操作には、前記ネットワークからコンテンツを受信する揮発性記憶装置から、ユーザアクセス可能な記憶装置へ前記コンテンツを転送することが含まれる端末用ユーザインタフェース。
【発明の詳細な説明】
【技術分野】
【０００１】
本発明は、ネットワークを介するコンテンツ配信に関し、例えば著作権のようなディジタル権を有するコンテンツ配信に関する。
【背景技術】
【０００２】
レコード会社、出版社、その他の権利保有者を含むコンテンツ作成団体に特有の課題は、ディジタルコンテンツが、特にネットワークを介して容易に流通することである。この流通の容易性は、オリジナルフォーマットでコンテンツのコピーや転送を繰り返しても、そのコンテンツの質にほとんどあるいはまったく悪化がみられない事実と関連している。したがって、著作権のあるコンテンツの無許可コピーが、許可されたコンテンツについての消費者の同じく高い期待に応えることになる。
【０００３】
その結果、権利保有者は、コンテンツをネットワーク上の配信に使用させることに乗り気ではなかった。現在、コンテンツの購入者がさらにコピーすることを不可能にするか、又は少なくとも制限する試みが、並行して行われている。
【０００４】
コンテンツをネットワーク上の配信に利用可能とした場合、権利保有者の収入減を補うように各種の提案がされている。概していえば、一方では、コンテンツの無許可コピーに対する技術障壁の形成、他方では、決済管理の進展からなる。多くの場合、許可する受信者すなわち権利保有者に適切な料金を支払ったユーザに対して、コンテンツ配信を厳密に管理しようとして、両方の手法があいまって使用される。このような技術を実現するためには、大きな処理パワー必要とし、端末において、特定のハードウェア機能及び／又はソフトウェア機能を必要とする。コンテンツへの無許可アクセスを求めるものが、巧妙になるに従い、処理パワーの要求は増える一方である。さらに、独自に開発したものが多く存在する結果、異なる端末における多くのハードウェアやソフトウェアの機能が存在することになる。今後の相互運用の可能性が低いレベルにあること及びこれに伴う市場の細分化の結果、権利保有者は、コンテンツ利用に対する投資をためらっている。
【特許文献１】特開平９−１６３３３８号公報
【特許文献２】特開２０００−２２８６３２号公報
【特許文献３】国際公開第９８／４４４０２号
【特許文献４】特開２０００−３４９７２６号公報
【発明の開示】
【０００５】
したがって、本発明の１態様によると、接続された少なくとも一つの端末を有するネットワークと、コンテンツの所定管理レベルを表わす証印（indicia）を割り当てるように操作可能なコンテンツ作成ツールとを備え、前記コンテンツは、後に前記ネットワークで利用可能にされ、前記少なくとも一つの端末は、前記証印に対して応答して、前記ネットワークから受信した前記コンテンツについて操作を許可するコンテンツ配信管理システムが提供される。
【０００６】
コンテンツ作成ツールは、端末に常駐するアプリケーションであって、これによって、ユーザが着信音のようなコンテンツを作成可能で、コンテンツ保護の所望のレベルを割り当て可能である。一方、発行者は、そのようなツールを用いて、かれらの作品をネットワーク上で利用させることができ、その場合、コンテンツに対して管理のレベルが割り当てられる。コンテンツは、電子化形式で供給される必要はなく、コンパクトディスク（ＣＤ）又はデジタル多目的ディスク（ＤＶＤ）で供給されてよく、ただ一つ要求されるものは、ネットワークにコンテンをアップロードすることを含んで、他の媒体へ転送される場合に、そのコンテンツに証印が残っているとうことである。コンテンツの未許可取引を阻止するために、証印は暗号化可能であり、また暗号化は、コンテンツが配信される通信チャネル上で用いられることもでき、さらに証印の暗号化とともに、通信チャネル上での暗号化の使用を併用してもよい。この手法は簡単であるので、すべてのプラットフォームにおいて容易に実現可能であり、従来技術のコンテンツ配信システムが求める、演算能力や資源の過大な要求を実現するには不適な移動体端末のような比較的弱い顧客に対しても、実現可能である。このようにして、例えば今までの着信音を伴う場合のような端末からの権利保有者のコンテンツ転送を全面的に禁止するようにする必要はなくなる。
【０００７】
本発明の他の態様によると、コンテンツを受信可能な第１記憶装置と、第２記憶装置と、前記両記憶装置に関連して操作可能なユーザインタフェースとを有し、第１記憶装置に受信された前記コンテンツについて前記ユーザインタフェースの操作セットが、前記コンテンツを参照することによって許可され、前記コンテンツによって許可された前記操作の少なくとも一つが、前記コンテンツの前記第２メモリへの転送であり、前記第２記憶装置に受信された場合、前記同一コンテンツについて前記ユーザインタフェースの操作セットが、前記コンテンツを参照して同様に許可される端末が提供される。
【０００８】
ユーザインタフェースが、このコンテンツに関して許可ないし認可された操作を担うものであり、コンテンツ自体は一般のユーザには利用できないものであるから、演算能力や資源を過大に要求するコンテンツの暗号化による保護の必要性はないことがわかる。好適には、第１記憶装置が揮発性で、その結果、その証印がそのコンテンツを第２不揮発性記憶装置に転送することを許可しなければ、コンテンツは端末に保存されない、端末は、ネットワーク上で転送される間コンテンツを保護するために、セッションレベルの暗号化を導入してもよい。
【０００９】
本発明のさらに他の態様によると、コンテンツ管理の個々のレベルを表わす証印を定義するステップと、前記コンテンツに適当な管理レベルを決定するステップと、前記決定に従って前記コンテンツに前記証印を割り当てるステップとを有する管理配信用コンテンツ作成方法を提供する。
【００１０】
管理レベルは、コンテンツ作成中に設定されるので、権利保有者は、例えばコンテンツの著作権の状態について権利保有者の意図を最初に設定することができる。このような証印を除去してこの意図を無効にしようとする試みは、起訴が可能で、この証印の存在が、コンテンツの未許可使用の場合に検証可能な法的な一種のしかけ（tripwire）としての役割を果たす。さらに、例えばコンパクトディスク、ディジタル多目的ディスク、及びウェブサーバで保存される電子的コピーのような物理的装置を含む異なる媒体間で、コンテンツが転送される場合でも、コンテンツの転送の間完全に残っていることによって、証印は、権利保有者の意図が保持されることを確実にする。コンテンツを受信する端末又は他の装置のユーザインタフェースが、特定の証印をもつコンテンツに対して所定の方法で応答するようにプログラムされており、権利に対する管理がさらに強化されている。このように管理に関する処理が簡単にできるので、端末の演算能力や他の資源の必要性は減少する。
【００１１】
本発明のさらに他の態様によれば、コンテンツに関して可能な操作を表わす証印を有する前記コンテンツの受信方法であって、第１記憶装置に前記コンテンツを受信するステップと、前記証印から前記コンテンツに関する可能な操作のリストを生成するステップと、前記リストをユーザに表示するステップとを有するコンテンツ受信方法が提供される。
【００１２】
可能な操作の少なくとも一つは、コンテンツを第２の不揮発性メモリに転送することである。しかし、例えばそのコンテンツが販売促進の目的に向けられている事情がある場合、そのような転送は証印によって禁止される。この場合、第１揮発性メモリを消去するか又は端末の電源を切ると、そのコンテンツは消去する。したがって、そのコンテンツに関してハッカー行為又は未許可の行為を実行しようとする機会は、与えられない。
【発明を実施するための最良の形態】
【００１３】
以下、本発明の十分な理解のために、例をあげて添付の図面を参照して、いくつかの実施形態を説明する。
【００１４】
図１を参照すると、多数のターミナル３によりアクセス可能な通信ネットワーク１が示されている。ネットワーク１は、インターネット９を含む外部ネットワーク７に対して相互作用する接続５を備える。ローカルで作成されたコンテンツはこれらの外部との接続５により、通信ネットワーク１に入る。
【００１５】
図２を参照すると、ネットワーク１で使用される端末３が示され、端末３は、プロセッサ９、メモリ１１、データ入力装置１３、及びデータ出力装置１５を備えている。メモリ１１は、データがネットワーク１から受信されるキャッシュ１７を有する。キャッシュ１７は、端末３によって使用されるデータを一時的に保持することにより、同じデータを配信するために、端末３からネットワーク１に繰り返し要求する必要はなくなる。通信セッションの最後、及び／又はデータが所定の期間アクセスされなかったとき、キャッシュ１７は空になる。端末３は、ユーザインタフェース（ＵＩ）１９を備え、すなわち、ユーザ及び／又はネットワーク１からの入力に応答して端末３の動作を調整して再処理することを制御するアプリケーションを備える。
【００１６】
端末３は、従来の方法でネットワーク１に接続可能である。つまり、固定の端末は、例えばネットワークに接続されたモデム２１によって接続される。移動体端末の場合は、無線インタフェース２５を介して接続される。この場合、端末３は、この機能を達成するために必要なしかるべき周知の付加要素を含む。ネットワーク１に対するこのような端末の接続技術は、当業者にとっては容易に理解される。
【００１７】
すでに説明したように、コンテンツは、外部に接続されたコンテンツプロバイダ２２からネットワーク１に入力可能であり、またネットワーク１自体が、端末３自体を含むコンテンツプロバイダ２９（ただし、端末を含むものに限定されない）を組み込んでいる。図３に示すように、コンテンツ３１は、ネットワーク１が動作するプロトコルのフレームタイプに従ってフォーマットされたデータグラム３３にカプセル化されている。通常、データグラム３３は、フィールド３７，３９，４１を有するヘッダ部３５を備え、ヘッダ部３５は、宛先アドレス４３、発信者の装置のアドレス、及びルックアップテーブルから決定されるか、又は端末３に保持されているイニシャルルータアドレス４７を含む。ＧＳＭによって示されている、いわゆる第２世代公衆陸上移動体ネットワーク（ＰＬＭＮ）の場合、コンテンツ３１は、ショートメッセージ（ＳＭ）によって運ばれるテキストデータ又は着信音データの形式をとり得る。この場合、宛先アドレス４３は、受信端末の電話番号であり、発信者アドレス４５は、発信端末の電話番号であり、イニシャルルータアドレス４７は、ショートメッセージサービスセンター（Short Message Service Center）の電話番号である。コンテンツ３１自体は、データグラム３３のペイロード部４９で運ばれる。
【００１８】
コンテンツ３１は、所属する管理又は著作権のクラス５１を示す値を含む。これは、コンテンツ３１内のペイロード部４９又はその他の個所のサブ区分５０に配置されている値の形式をとる。サービス形成ツール（図示せず）の機能の範囲内で、権利保有者又は権利保有者によって許可された団体の管理下で、アプリケーションによって、クラス５１がコンテンツ３１に対して最初に割り当てられる。このようなツールは、通常、着信音、プロフィール・アイコン、画像メッセージ、スクリーンセーバ、及びディジタル画像、のような個人的な素材を、名前その他に対して、作成するために用いられる。このような素材に関連するディジタル権は、さまざまであり、したがって適切な保護のレベルを設定するために、一組のオプションがツール内で利用可能である。保護の各レベルにより、受信者がコンテンツ３１を利用するに際して、異なるレベルの制限が設けられる。クラス５１の指示は、対応する状態に１ビットを設定することによって実行される。利用可能な資源によっては、クラス５１の指示は、関連するコンテンツの詳細な情報を配信するために使用することができる。
【００１９】
端末ＵＩ１９の一つの機能は、例えば、ＧＳＭネットワーク１に接続された移動体端末３へのＳＭの配信によって例示されるように、ユーザに対するデータグラム配信を制御することである。データグラム３３が端末３によって受信される場合、ＵＩでアクセス可能なキャッシュ１７に置かれる。このキャッシュ１７は、通常の方法で端末３を動作させているユーザにはアクセスできない。ＵＩ機能は、ペイロード部４９を調べ、データグラム３３によるカプセル化コンテンツに付与された管理クラス５１を指示する値を求める。先に説明したように、その値は、ペイロード部４９内のサブ区分５０、又はデータグラム３３内の所定の場所に配置されている。
【００２０】
その値５１は、次にＵＩ機能によって、事前条件のセットと比較される。この事前条件のセットは、コンテンツ３１について許可されたり禁止されたりしている操作のセットを表わす。もちろん、これらは、コンテンツ作成ツールによって割り当てられたものに対応する。必要なら、これらの条件は、権利保有者と連携してネットワークオペレータによって変えることができ、これは、端末３に新たな条件セットを配信して、コンテンツ作成ツールにおける変化を反映させることによってなされる。
【００２１】
例えば、次の三つの条件及びこれに対応する管理値又は証印が、コンテンツ３１に関して実行されるユーザ操作について、規定され得る。第１は、コンテンツ３１は閲覧のみ可能で、第２は、コンテンツ３１は閲覧可能で、端末３内にローカルに保存可能であり、第３は、コンテンツ３１は閲覧可能で、端末３内にローカルに保存可能で、さらに例えば他の端末に対して、ネットワーク１を介して自由に転送可能である。
【００２２】
使用に際しては、ＳＭのようなデータグラム３３は、宛先となった端末３によって受信され、データグラム３３は、キャッシュ１７に一時的に格納される。ＵＩ機能１９は引き続いて、ＳＭ、例えば着信音、が受信されたことを示すメッセージ（図４）をユーザに表示する。ユーザは、この段階で、ＳＭの開５９か、あるいはＵＩ機能の終了６１を実行することによってそれを廃棄するかのいずれかのオプションを与えられる。後者の場合６１には、ＵＩ機能はキャッシュ１７をクリアする命令を送る。
【００２３】
ユーザが、ＳＭの開５９を選択するとすれば、図５Ａ〜５Ｃに示す３枚の表示画面の一つが、コンテンツ作成ツールによって設定された証印５１に従って、ＵＩ機能１９によって表示される。表示の種類は、コンテンツ３１に関連する証印５１によって決まる。したがって、ユーザに可能な操作は、着信音の場合、着信音を演奏すること、今後のローカルでの使用のために着信音を保存すること、他の端末にその着信音を転送すること、及び着信音を消去することである。異なる形式のコンテンツ３１に対しては、ユーザに利用可能な操作は変更され得る。ただし、保存と転送は常に存在するであろうが、多分ある管理クラスでは禁止される。
【００２４】
図５Ａは、端末３のユーザに対する表示１５を示す。そこには、著作権管理の第１クラスがコンテンツ３１に関して設けられている。したがって、ＳＭに関する保存５５、転送５７、又は消去６３のオプションは、灰色で表示されており、ただ一つの着信音の演奏（プレイ）５３についてのオプションが、ユーザに開放されている。このような著作権のクラスは、販売促進又は調査のためだけにユーザにアクセス可能にする。このクラス分けでは、後のローカル使用のためにＳＭを保持するオプション、又はそれを転送するオプションは存在しない。したがって、必要なメニュー選択によってＵＩ機能１９を終了するか、又は端末の電源を切ると、キャッシュ１７はクリアされ、当該ＳＭはもはや利用できなくなる。明らかに、どの場合であってもＵＩ機能の終了、又は端末のスイッチのオフが起るだけであるから、そのオプションがコンテンツ３１を消去できる必要はない。
【００２５】
図５Ｂは、著作権管理の第２クラスがコンテンツ３１に設けられている端末３の表示１９を示す。コンテンツを他の端末に転送５７するオプションは灰色で表示にされ、コンテンツ３１の演奏５３又は保存５５のオプションがローカルでユーザにより利用可能に残されている。このような管理クラスによれば、ユーザが、購入したコンテンツ３１にアクセスすることは可能であるが、メロディをさらに流布する権利はない。
【００２６】
最後に、図５Ｃは、著作権管理の第３クラスがコンテンツ３１に設けられている端末３の表示１９を示す。コンテンツ３１の転送５７、保存５５、及び演奏５３のオプションが、消去６３のオプションとともに、ユーザに利用可能である。このようなクラスは、どのような権利保有者にも属することのないコンテンツ３１のデフォルトの設定である。
【００２７】
ユーザに許可されたクラス及びオプションに従って、メニューから選択することによって、ＵＩが当該動作を実行することになり、ＳＭの保存５５の場合は、コンテンツ３１がキャッシュ１７から端末３の不揮発性メモリ１１に伝送されることになる。その他のオプションでは、ＵＩは、キャッシュ１７に保持されたコンテンツを直接操作する。
【００２８】
十分理解されるように、キャッシュ１７に残るダイアグラム３３の部分４９に著作権管理情報を配置することによって、少なくとも端末メニュー１１に保存されるまで、ハッキングに対する基本的な防御が提供される。さらに、いったんコンテンツ３１がローカルに保存されると、記憶された著作権管理クラス５１のコンテンツをハッキングから守るために、別個のセキュリティ手段が使用可能である。
【００２９】
それにもかかわらず、さらに高度なハッキングに対して防御するためには、ヘッダ部がさらに、ペイロード部４９に保持される全コンテンツのチェックサムの値を含むようにできる。ＵＩ機能は、まずチェックサムが正しいかどうかを判断し、正しくなければ、伝送過程でのデータ破壊、又は著作権管理クラス５１に対する未許可の変更の試みのいずれかがあったことを示す。例えば、チェックサムは、予め選択された素数によって除算された、サブ区分５０及びコンテンツ３１のペイロードの単純和から構成され得る。剰余が、著作権管理クラス５１の完全性を示す指標として用いられる。
【００３０】
さらにいわゆる仲介者攻撃あるいは端末自体の改変を避けるために必要なセキュリティ手段は、公開鍵基盤（ＰＫＩ）及び適切な暗号化技術を用いることによって保護される。したがって、ＰＫＩベースの技術は、端末３同士、あるいは端末３と著作権を有するコンテンツを含むデータグラムを運ぶコンテンツプロバイダとの間で、安全な接続を確立するために用いられる。
【図面の簡単な説明】
【００３１】
【図１】本発明の１態様による通信ネットワークの概略図である。
【図２】本発明の他の態様による図１のネットワークで使用される端末の図である。
【図３】本発明の他の態様による図１のネットワークで使用されるデータグラムの図である。
【図４】図２の端末の表示装置に示された情報を示す図である。
【図５Ａ】図２の端末の表示装置に示された異なる情報を示す図である。
【図５Ｂ】図２の端末の表示装置に示された異なる情報を示す図である。
【図５Ｃ】図２の端末の表示装置に示された異なる情報を示す図である。
【図１】
2008135021.tif 000003
【図２】
2008135021.tif 000004
【図３】
2008135021.tif 000005
【図４】
2008135021.tif 000006
【図５Ａ】
2008135021.tif 000007
【図５Ｂ】
2008135021.tif 000008
【図５Ｃ】
2008135021.tif 000009
【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
ネットワーク（１）と、
前記ネットワークを介して端末に供給される、ヘッダ部（３５）とデータコンテンツ（３１）を含むペイロード部（４９）とを有するデータグラム（３３）に対して、個々のユーザによる複数の選択操作を実行するユーザインタフェース（１９）と該ユーザインタフェースでアクセスされるキャッシュ（１７）を有するメモリ（１１）を持つ端末（３）と、
他の端末あるいはコンテンツプロバイダに配置されたコンテンツ作成ツールであって、前記端末（３）にネットワークを介して供給されるデータグラム（３３）のペイロード部（４９）に、前記端末（３）におけるユーザ選択に際して、複数の個々のユーザ選択操作のうちのいずれが、前記データコンテンツ（３１）に対して許可されるかを示す証印データ（５１）を割り当てかつ含ませるコンテンツ作成ツールと、
を有するコンテンツ配信システムであって、
前記データグラム（３３）が前記端末で受信されると、前記データコンテンツ（３１）を含むペイロード部（４９）はキャッシュ（１７）に格納され、前記ユーザインタフェースは、前記ペイロード部から前記証印データを求め、前記証印データ（５１）に基づいて前記データコンテンツに対して前記ユーザインターフェイスの操作を管理し、前記ユーザ選択操作が、個々に前記証印データ（５１）に基づいて可能又は不可能とされることを特徴とするコンテンツ配信システム。
【請求項２】
ネットワークへアクセス可能な前記ツールを備える請求項１に記載のコンテンツ配信システム。
【請求項３】
ネットワークを介して、ヘッダ部（３５）と、データコンテンツ（３１）と証印データ（５１）を含むペイロード部（４９）とを有するデータグラム（３３）を受信する端末（３）であって、
受信した前記データグラム（３３）を格納するキャッシュ（１７）を含む記憶装置（１１，１７）と、前記キャッシュ（１７）にアクセス可能で、かつ前記データコンテンツに対して複数の個々のユーザ選択操作を実行するように構成されたユーザインタフェース（１９）とを備え、
前記ユーザインタフェースは、前記キャッシュ（１７）内の証印データ（５１）を検知して、複数の個々のユーザ選択操作のうちのいずれが、前記端末におけるユーザの選択によって、前記データコンテンツ（３１）に対して許可されるかを示す、データグラム（３３）に含まれる証印データ（５１）に応答し、
前記ユーザインタフェースの操作は、前記データグラム（３３）に含まれている前記証印データ（５１）によって前記データグラム（３３）に対して管理され、前記ユーザ選択操作が、個々に前記証印データ（５１）に基づいて可能又は不可能とされることを特徴とする端末。
【請求項４】
前記証印データは、管理あるいは著作権のクラスを示す値を有する請求項３に記載の端末。
【請求項５】
前記証印データ（５１）が暗号化されている請求項３又は４に記載の端末。
【請求項６】
前記端末（３）は、移動体携帯電話機である請求項３〜５のいずれか１項に記載の端末。
【請求項７】
ショートメッセージ（ＳＭ）の形式のデータコンテンツが供給されるようにされた請求項６に記載の端末。
【請求項８】
着信音を含むデータコンテンツが供給されるようにされた請求項６に記載の端末。
【請求項９】
前記ユーザインタフェースは、前記データコンテンツに対するユーザによる選択操作として、閲覧、格納、削除及び転送が実行可能である請求項３〜８のいずれか１項に記載の端末。
【請求項１０】
前記端末は、揮発性記憶装置（１７）と、不揮発性記憶装置（１１）とを備え、前記データコンテンツに対して前記ユーザによる選択操作は、前記データコンテンツ（３３）を、前記揮発性記憶装置（１７）から不揮発性記憶装置（１１）へ転送することを含む請求項３〜９のいずれか１項に記載の端末。
【請求項１１】
請求項１又は２に記載のコンテンツ配信システムで使用されるように設定された請求項３〜１０のいずれか１項に記載の端末。
【請求項１２】
ネットワークを介して端末に供給され、ヘッダ部（３５）とデータコンテンツ（３１）を含むペイロード部（４９）とを有するデータグラム（３３）に対して複数の個々のユーザ選択操作を実行するユーザインタフェースを有する前記端末に前記ネットワークを介してコンテンツを配信するコンテンツ配信方法であって、
コンテンツを作成するコンテンツ作成ツールによって、ネットワークを介して端末に供給されるデータグラム（３３）のペイロード部（４９）に、複数の個々のユーザ選択操作のうちのいずれが、前記端末におけるユーザの選択によって、前記データコンテンツ（３１）に対して許可されるかを示す証印データ（５１）を割り当て、かつ保持するステップと、
前記端末のユーザインタフェースの操作を、キャッシュ（１７）に格納された前記証印データ（５１）に基づいてデータコンテンツに対して管理するステップであって、前記ユーザ選択操作が、個々に前記証印データに基づいて可能又は不可能とされるステップを備えることを特徴とするコンテンツ配信方法。
【請求項１３】
ヘッダ部（３５）とデータコンテンツ（３１）を含むペイロード部（４９）とを有するデータグラム（３３）を、ネットワークを介して、該データコンテンツに依存して管理されている複数の個々のユーザ選択操作を、前記データコンテンツに対して実行するユーザインタフェースを含む端末で受信するデータグラム受信方法であって、
複数の個々のユーザ選択操作のうちのいずれが、前記端末におけるユーザの選択によって、前記データコンテンツ（３１）に対して許可されるかを示す証印データ（５１）を前記ペイロード部に有するデータグラム（３３）を受信するステップであって、前記証印データ（５１）はキャッシュ（１７）に格納されるステップと、
前記キャッシュ（１７）に格納された前記証印データ（５１）に基づいて、前記データコンテンツに対する前記ユーザインタフェースの操作を管理して、前記ユーザによる選択操作が、個々に前記証印データ（５１）に基づいて可能又は不可能とされるステップとを有するデータグラム受信方法。
【請求項１４】
前記ユーザによる選択操作は、前記データコンテンツを前記端末の揮発性記憶装置から前記端末の不揮発性記憶装置へ転送することを含む請求項１３に記載のデータグラム受信方法。